(57)【要約】【課題】スクリーンの巻ずれ調整作業を容易に行い得る巻取閉鎖装置を提供する。【解決手段】支持ブラケット３に回転可能に支持された巻取軸４からスクリーン５を吊下支持し、巻取軸４にスクリーン５を巻取り、あるいは巻戻してスクリーン５を昇降するロールブラインドにおいて、巻取軸４の少なくとも一端部に、該巻取軸４の外周面に沿って該巻取軸４の軸方向にスライド可能とした調整部材１４を備え、調整部材１４の外径を巻取軸４の外径より大きくするとともに巻取軸４の軸方向に連続的に変化するように形成し、調整部材１４の外径の大きい端部を巻取軸４の端部側とした。【選択図】図１
0003170061.tif 000002
【実用新案登録請求の範囲】
【請求項１】
支持ブラケットに回転可能に支持された巻取軸からスクリーンを吊下支持し、前記巻取軸に前記スクリーンを巻取り、あるいは巻戻して前記スクリーンを昇降する巻取閉鎖装置において、
前記巻取軸の少なくとも一端部に、該巻取軸の外周面に沿って該巻取軸の軸方向にスライド可能とした調整部材を備え、前記調整部材の外径を前記巻取軸の外径より大きくするとともに前記巻取軸の軸方向に連続的に変化するように形成し、前記調整部材の外径の大きい端部を前記巻取軸の端部側としたことを特徴とする巻取閉鎖装置。
【請求項２】
前記調整部材には、前記巻取軸に対するスライド距離を規定するガイド部を設けたことを特徴とする請求項１記載の巻取閉鎖装置。
【請求項３】
前記調整部材を、前記巻取軸の両端に取着したことを特徴とする請求項１又は２記載の巻取閉鎖装置。
【請求項４】
前記調整部材を前記巻取軸の一端部に設け、前記巻取軸の他端には直径が一定の調整部材を取着したことを特徴とする請求項１又は２記載の巻取閉鎖装置。
【請求項５】
前記調整部材を前記巻取軸の一端部に設け、前記巻取軸の他端には前記調整部材をスライド不能に取着したことを特徴とする請求項１又は２記載の巻取閉鎖装置。
【請求項６】
前記調整部材を、前記巻取軸の中心に対し１８０度以上の範囲で該巻取軸の外周面を周方向に覆う断面Ｃ型に形成し、スライド操作時以外は前記巻取軸に保持可能とする保持力を備え、前記調整部材の開口部は、前記スクリーンを前記巻取軸に取着する生地押さえに干渉しない幅を備えたことを特徴とする請求項１乃至５のいずれか１項に記載の巻取閉鎖装置。
【考案の詳細な説明】
【技術分野】
【０００１】
この考案は、スクリーンに巻ずれが生じないように調整する巻ずれ調整装置を備えたロールブラインド、オーニング、シートシャッターあるいはトノカバー等の巻取閉鎖装置に関するものである。
【背景技術】
【０００２】
ロールブラインドは、取付面に回転可能に支持された巻取軸からスクリーンが垂下され、巻取軸をスクリーン巻取り方向に回転操作することにより、スクリーンが巻取軸に巻き取られて上昇する。また、巻取軸をスクリーン巻き戻し方向に回転操作することにより、スクリーンが巻取軸から巻き戻されて下降する。
【０００３】
このようなロールブラインドでは、スクリーンが巻取軸に巻き取られるとき、スクリーンが巻取軸の長手方向にずれながら巻き取られるいわゆる巻ずれが発生することがある。
そこで、ロールブラインドの組み立て工程中において、あるいはロールブラインドの設置現場において、巻取軸の外周面に調整シールを貼着して巻取軸の巻径を微調整することにより巻ずれを補正する補正処理が行われている。
【０００４】
特許文献１には、巻取りドラムにスペーサを粘着して巻きずれを調整するシャッターが開示されている。
特許文献２には、巻取筒の両端にフィルム状のテープを巻回して、トノカバーの弛みを吸収するようにしたシート巻取装置が開示されている。
【先行技術文献】
【特許文献】
【０００５】
【特許文献１】特許３７５００７８号公報
【特許文献２】特開平１１−２２３４７号公報
【考案の概要】
【考案が解決しようとする課題】
【０００６】
上記のようなロールブラインドでは、スクリーンを交換したり、あるいはスクリーンを洗濯するために巻取軸から外し、洗濯後に再度巻取軸に取り付ける場合、巻ずれの方向あるいはずれ量が変わってしまうことがある。このような場合には、調整シールを貼り直したり、追加して貼着する等の煩雑な作業が必要となる。
【０００７】
特許文献１に開示されたシャッターでは、巻取りドラムにスペーサを粘着した後、再度巻ずれが生じる場合には、スペーサを粘着し直す必要があるため、巻ずれの調整作業が煩雑となる。
【０００８】
特許文献２に開示されたシート巻取装置では、巻取筒の両端の巻径を大きくすることはできるが、その巻径を調整してシートの巻ずれを調整する手段は開示されていない。
この考案の目的は、スクリーンの巻ずれ調整作業を容易に行い得る巻取閉鎖装置を提供することにある。
【課題を解決するための手段】
【０００９】
請求項１では、支持ブラケットに回転可能に支持された巻取軸からスクリーンを吊下支持し、前記巻取軸に前記スクリーンを巻取り、あるいは巻戻して前記スクリーンを昇降する巻取閉鎖装置において、前記巻取軸の少なくとも一端部に、該巻取軸の外周面に沿って該巻取軸の軸方向にスライド可能とした調整部材を備え、前記調整部材の外径を前記巻取軸の外径より大きくするとともに前記巻取軸の軸方向に連続的に変化するように形成し、前記調整部材の外径の大きい端部を前記巻取軸の端部側とした。
【００１０】
請求項２では、前記調整部材には、前記巻取軸に対するスライド距離を規定するガイド部を設けた。
請求項３では、前記調整部材を、前記巻取軸の両端に取着した。
【００１１】
請求項４では、前記調整部材を前記巻取軸の一端部に設け、前記巻取軸の他端には直径が一定の調整部材を取着した。
請求項５では、前記調整部材を前記巻取軸の一端部に設け、前記巻取軸の他端には前記調整部材をスライド不能に取着した。
【００１２】
請求項６では、前記調整部材を、前記巻取軸の中心に対し１８０度以上の範囲で該巻取軸の外周面を周方向に覆う断面Ｃ型に形成し、スライド操作時以外は前記巻取軸に保持可能とする保持力を備え、前記調整部材の開口部は、前記スクリーンを前記巻取軸に取着する生地押さえに干渉しない幅を備えた。
【考案の効果】
【００１３】
本考案によれば、スクリーンの巻ずれ調整作業を容易に行い得る巻取閉鎖装置を提供することができる。
【図面の簡単な説明】
【００１４】
【図１】第一の実施形態のロールブラインドを示す正面図である。
【図２】第一の実施形態のロールブラインドを示す側面図である。
【図３】調整部材を示す斜視図である。
【図４】調整部材を示す断面図である。
【図５】調整部材の動作を示す断面図である。
【図６】第二の実施形態の調整部材を示す斜視図である。
【図７】第二の実施形態の調整部材を示す断面図である。
【図８】第二の実施形態の調整部材の動作を示す断面図である。
【図９】第二の実施形態の調整部材の動作を示す断面図である。
【図１０】第三の実施形態を示す断面図である。
【図１１】第四の実施形態を示す断面図である。
【図１２】第五の実施形態を示す断面図である。
【考案を実施するための形態】
【００１５】
以下、この考案を具体化した一実施形態を図面に従って説明する。図１に示すロールブラインドは、取付ブラケット１を介して取付面に固定されるフレーム２の両端に支持ブラケット３が取着され、その支持ブラケット３間に巻取軸４が回転可能に支持されている。そして、巻取軸４からスクリーン５が垂下され、そのスクリーン５の下端にボトムレール６が吊下支持されている。
【００１６】
前記巻取軸４は、操作装置（図示しない）の操作により正逆方向に回転操作可能となっている。そして、巻取軸４をスクリーン巻取り方向に回転させると、巻取軸４にスクリーン５が巻き取られてスクリーン５が上昇する。また、巻取軸４をスクリーン巻き戻し方向に回転させると、巻取軸４からスクリーン５が巻き戻されてスクリーン５が下降する。
【００１７】
前記巻取軸４の両端部には、前記スクリーン５の巻ずれを調整する調整部材１４が嵌着されている。この調整部材１４は、図３及び図４に示すように、弾性を有する合成樹脂の薄板で一部を開口した円筒状に形成され、その内径は前記巻取軸４の外径より若干小さい径で形成され、その長さは巻取軸４の長さに比べて充分に短い長さで形成される。
【００１８】
前記調整部材１４はその軸方向の一端側の外径Ｒ４が、他端側の外径Ｒ５より大きく形成され、例えばＲ４はφ３９．８ｍｍであるのに対し、Ｒ５はφ３８．８ｍｍである。調整部材１４の内径Ｒ６は一定で、前記巻取軸４の直径よりやや小さいφ３８ｍｍで形成されている。
【００１９】
また、外径Ｒ４，Ｒ５が異なることから、図４に示すように、調整部材１４の肉厚は他端側から一端側に向かって厚くなる。
前記調整部材１４の開口部は、前記巻取軸４に嵌合しない状態では、中心に対し３０度の範囲で開口される。そして、直径φ４０ｍｍの巻取軸４に対し弾性変形しながら嵌合され、その嵌合時には開口部が中心に対し５０度の範囲で開口され、図２に示す生地押さえ８には被さらないようになっている。
【００２０】
このように構成された調整部材１４は、図１示すように、調整部材１４の一端側すなわち肉厚側を巻取軸４の端部側として巻取軸４の両端部外周面上に嵌着される。すると、調整部材１４は巻取軸４の長手方向にスライド可能に支持される。
【００２１】
次に、上記のような調整部材１４を備えたロールブラインドの作用を説明する。
図１において、スクリーン５の巻き取り動作時に矢印Ａ方向、すなわち巻取軸４の左端側への巻ずれが生じるときには、巻取軸４の左端側に取着された調整部材１４を矢印Ｂ方向、すなわち巻取軸４の左端側にスライドさせる。
【００２２】
また、スクリーン５の巻き取り動作時に矢印Ｃ方向、すなわち巻取軸４の右端側への巻ずれが生じるときには、巻取軸４の右端側に取着された調整部材１４を矢印Ｄ方向、すなわち巻取軸４の右端側にスライドさせる。すると、スクリーン５の巻ずれが抑制され、あるいは阻止される。
【００２３】
また、図５に示すように、巻取軸４の左端側への巻ずれに対し、左端側の調整部材１４を左端側にスライドさせ、さらに右端側の調整部材１４も巻取軸４の左端側へ移動させるようにして微調整してもよい。
【００２４】
このような調整操作により、巻取軸４の中央部の巻き径Ｘ１と巻取軸４の両端部の巻き径Ｘ２，Ｘ３との差が調整されるとともに、両端部の巻き径Ｘ２，Ｘ３の差も調整され、この巻き径の差の調整により巻ずれが調整可能となる。
【００２５】
また、調整部材１４の外径が前記巻取軸４の軸方向に連続的に変化するように形成されているので、巻取軸４の両端部の調整部材１４をともに巻取軸４の長手方向中央部（矢印Ｅ方向）に向かって移動させると、スクリーン５の幅方向両側部が幅方向中央部へ動こうとするため、巻ずれの発生が抑制される。
【００２６】
このように構成された調整部材１４を備えたロールブラインドは、次に示す効果を得ることができる。
（１）組み立て工程あるいは設置現場で、巻取軸４の両端部に取着した調整部材１４を巻取軸４に沿ってスライドさせることにより、スクリーン５の巻ずれを調整することができる。
（２）巻取軸４の両端部に外径が連続的に変化する調整部材１４をスライド可能に支持したので、調整部材１４の僅かな移動だけでスクリーン５の巻ずれを調整することができる。
（３）巻取軸４の両端部の調整部材１４の一方をスライドさせることにより、スクリーン５の巻ずれを調整することができる。
（４）調整部材１４を巻取軸４の中央部までスライドさせることができるので、巻ずれの調整幅を充分に確保することができる。
（第二の実施形態）
図６〜図９は、第二の実施形態を示す。この実施形態は、第一の実施形態とは異なる調整部材の実施形態を示す。調整部材以外の構成は、第一の実施形態と同様であり、同一構成部分は同一符号を付して説明する。
【００２７】
図６及び図７に示すように、調整部材７は弾性を有する合成樹脂の薄板で一部を開口した円筒状に形成され、その内径は前記巻取軸４の外径より若干小さい径で形成され、その長さは前記巻取軸４の長さに比べて充分に短い長さで形成される。
【００２８】
図７に示すように、前記調整部材７はその軸方向の一端側の外径Ｒ１が、他端側の外径Ｒ２より大きく形成され、例えばＲ１はφ４０．８ｍｍであるのに対し、Ｒ２はφ３８．８ｍｍである。調整部材７の内径Ｒ３は一定で、前記巻取軸４の直径よりやや小さいφ３８ｍｍで形成されている。
【００２９】
また、外径Ｒ１，Ｒ２が異なることから、調整部材７の肉厚は他端側から一端側に向かって厚くなる。そこで、開口端の肉厚を一定とし、かつ肉厚が連続的に変化するように厚肉部分を削ぎ落とした切除部９が形成されている。
【００３０】
前記調整部材７の内周面上において、前記開口部に対向する位置には、調整部材７の軸方向に延びる長円状のガイド突部１０が形成されている。
図８に示すように、前記巻取軸４の両端部には前記ガイド突部１０を嵌合可能とし、かつガイド突部１０を巻取軸４の長手方向にスライド可能に支持するガイド孔１１が設けられている。
【００３１】
このように構成された調整部材７は、図８示すように、調整部材７の一端側すなわち肉厚側を巻取軸４の端部側として巻取軸４の両端部外周面上に嵌着される。すると、図９に示すように、調整部材７はガイド孔１１に沿って巻取軸４の長手方向に若干スライド可能に支持される。
【００３２】
このような調整部材７を備えたロールブラインドでは、前記第一の実施形態で得られた（１）〜（３）の効果と同様な効果を得ることができる。
（第三の実施形態）
図１０は、第三の実施形態を示す。この実施形態は、巻取軸４の一端側にのみ前記調整部材７を取着したものである。
【００３３】
このような構成により、調整部材７を巻取軸４の軸方向にスライドさせると、第一の実施形態と同様にスクリーン５の巻ずれを調整することができる。
（第四の実施形態）
図１１は、第四の実施形態を示す。この実施形態は、巻取軸４の一端側にのみ前記調整部材７を取着し、他端側には軸方向に直径が一定の調整部材１２が巻取軸４の外周面上に取着されて、巻き径を増大させるようになっている。
【００３４】
このような構成により、調整部材１２で巻取軸４の右端側へのスクリーン５の巻ずれが抑制されるとともに、調整部材７を巻取軸４の軸方向にスライドさせると、第一の実施形態と同様にスクリーン５の巻ずれを調整することができる。
（第五の実施形態）
図１２は、第五の実施形態を示す。この実施形態は、巻取軸４の一端側にのみ前記調整部材７を取着し、他端側には調整部材７と同様な調整部材１３をスライド不能に固定したものである。また、巻取軸４の他端側が調整部材７と同様な外形形状となるように一体に形成してもよい。
【００３５】
このような構成により、調整部材１３で巻取軸４の右端側へのスクリーン５の巻ずれが抑制されるとともに、調整部材７を巻取軸４の軸方向にスライドさせると、第一の実施形態と同様にスクリーン５の巻ずれを調整することができる。
【００３６】
上記実施形態は、以下の態様で実施してもよい。
・調整部材の開口部を、中心に対し１８０度以下の範囲で拡大して、調整部材を巻取軸４に対し正面方向すなわち図２において例えば巻取軸４の右方向から径方向に嵌合可能としてもよい。
・調整部材にガイド孔を設け、巻取軸の両端部の外周面に、ガイド突部を設けてもよい。
・上記のような調整部材を、巻取軸の両端部に取着されるキャップにスライド可能に取着してもよい。
・第三〜第五の実施形態において、調整部材７に代えて、第一の実施形態の調整部材１４を使用してもよい。
・上記のような調整部材を備えた巻取軸を、オーニング、シートシャッターあるいはトノカバーの巻取軸に実施することもできる。
【符号の説明】
【００３７】
３…支持ブラケット、４…巻取軸、５…スクリーン、７，１２，１３，１４…調整部材、１０…ガイド部（ガイド突部）。
【図１】
0003170061.tif 000003
【図２】
0003170061.tif 000004
【図３】
0003170061.tif 000005
【図４】
0003170061.tif 000006
【図５】
0003170061.tif 000007
【図６】
0003170061.tif 000008
【図７】
0003170061.tif 000009
【図８】
0003170061.tif 000010
【図９】
0003170061.tif 000011
【図１０】
0003170061.tif 000012
【図１１】
0003170061.tif 000013
【図１２】
0003170061.tif 000014